(57)【要約】【課題】データ記録の状況にかかわらず、可視画像の形成をすることができる光ディスク記録装置を提供する【解決手段】熱干渉（熱変色）する性質を有する案内溝が螺旋状に形成された光ディスクに対して、前記案内溝に沿ってレーザ光を照射し、データ長を表すピットを形成させることによるデータ記録、前記光ディスクの一部を変色させることによる可視画像形成、のいずれかを行う光ピックアップを設ける。そして、データ記録をするときは前記光ディスクの内周側から、可視画像形成をするときは当該光ディスクの外側から行うようにレーザ光照射位置を制御をする。【選択図】　　　図１２
2004039019.tif 000002
【特許請求の範囲】
【請求項１】
螺旋状に案内溝が形成された記録層であって熱又は光により変色する性質を有する記録層を有する光ディスクに対して、レーザ光を照射する光ピックアップと、
前記案内溝に沿って前記光ピックアップからレーザ光を照射させ、データ長を表すピットをディスク内周側から順に形成させることによりデータの記録をするデータ記録手段と、
前記記録層に対して前記光ピックアップからレーザ光を照射させ、ディスク内周側から順に前記記録層を部分的に変色させることにより可視画像の形成をする可視画像形成手段と、
新たな可視画像を形成するに先立ち、該可視画像の形成を終了する終点位置を求める位置検出手段を有し、
前記可視画像形成手段は、前記位置検出手段が求めた終点位置よりも予め決められる所定距離だけディスク内周側の位置から、新たな可視画像の形成を開始することを特徴とする光ディスク記録装置。
【請求項２】
請求項１に記載の光ディスク記録装置において、
前記位置検出手段は、既に可視画像が形成されている領域を検出するとともに、該領域の始点位置を新たに形成する可視画像の終点位置として求めること
を特徴とする光ディスク記録装置。
【請求項３】
請求項１に記載の光ディスク記録装置において、
前記位置検出手段は、既に可視画像が形成されている領域が検出できない場合は、予め決められるディスク最外周位置を新たに形成する可視画像の終点位置として求めること
を特徴とする光ディスク記録装置。
【請求項４】
請求項１ないし請求項３のいずれかに記載の光ディスク記録装置において、
前記可視画像形成手段は、新たに形成する可視画像のデータ量に応じた距離だけ前記終点位置よりもディスク内周側の位置から新たな可視画像の形成を開始することを特徴とする光ディスク記録装置。
【請求項５】
請求項２ないし請求項４のいずれかに記載の光ディスク記録装置において、
前記位置検出手段は、前記記録層のうち予め定められる特殊領域から前回の可視画像形成位置を示す情報を取得することにより、既に可視画像の形成がされた領域を検出し、
前記可視画像形成手段は、可視画像を形成する度に、当該可視画像の形成位置を示す情報を前記特殊領域に記録することを特徴とする光ディスク記録装置。
【請求項６】
請求項２ないし請求項５のいずれかに記載の光ディスク記録装置において、
前記位置検出手段は、前記光ピックアップから前記案内溝に沿ってレーザ光を照射して得られる反射光信号のエンベロープ形状から、既に可視画像の形成がされた領域を検出することを特徴とする光ディスク記録装置。
【請求項７】
請求項１ないし請求項６のいずれかに記載の光ディスク記録装置において、
前記可視画像形成手段は、前記記録層の前記案内溝に沿って前記光ピックアップからレーザ光を照射させ、ディスク内周側から順に前記記録層を部分的に変色させることにより可視画像の形成をすることを特徴とする光ディスク記録装置。
【請求項８】
請求項１ないし請求項６のいずれかに記載の光ディスク記録装置において、
前記光ディスクを回転駆動させる駆動手段と、
前記光ディスクが１回転する毎に前記光ピックアップを前記光ディスクの外周方向に移動させるフィード手段とを有し、
前記可視画像形成手段は、前記駆動手段により回転駆動した前記光ディスクの前記記録層に対しレーザ光を照射し、前記フィード手段を用いてディスク内周側から順に前記記録層を部分的に変色させて可視画像形成をすることを特徴とする光ディスク記録装置。
【請求項９】
螺旋状に案内溝が形成された記録層であって熱又は光により変色する性質を有する記録層を有する光ディスクに対して、レーザ光を照射する光ピックアップと、
前記案内溝に沿って前記光ピックアップからレーザ光を照射させ、データ長を表すピットをディスク内周側から順に形成させることによりデータの記録をするデータ記録手段と、
前記記録層に対して前記光ピックアップからレーザ光を照射させ、ディスク内周側から順に前記記録層を部分的に変色させることにより可視画像の形成をする可視画像形成手段であって、
複数の可視画像を形成する時は、円盤形状である前記記録層を放射分割した領域の夫々に対し、可視画像の形成をする可視画像形成手段と
を有することを特徴とする光ディスク記録装置。
【請求項１０】
請求項９に記載の光ディスク記録装置において、
前記可視画像形成手段は、前記記録層上の前記案内溝に沿って前記光ピックアップからレーザ光を照射させ、ディスク内周側から順に前記記録層を部分的に変色させることにより可視画像の形成をすること
を特徴とする光ディスク記録装置。
【請求項１１】
請求項９に記載の光ディスク記録装置において、
前記光ディスクを回転駆動させる駆動手段と、
前記光ピックアップを前記光ディスクの外周方向に順次移動させるフィード手段とを有し、
前記可視画像形成手段は、前記駆動手段により回転駆動させた前記光ディスクの前記記録層に対して前記光ピックアップからレーザ光を照射させるとともに、前記フィード手段を用いて前記記録層におけるレーザ光照射位置をディスク内周側から順に外周に移動させること
を特徴とする光ディスク記録装置。
【発明の詳細な説明】
【０００１】
【発明の属する技術分野】
本発明は、光ディスク上に可視画像の形成を行うことができる光ディスク記録装置に関する。
【０００２】
【従来の技術】
ＣＤ−Ｒ（Ｃｏｍｐａｃｔ　Ｄｉｓｃ−Ｒｅｃｏｒｄａｂｌｅ）やＣＤ−ＲＷ（Ｃｏｍｐａｃｔ　Ｄｉｓｃ−Ｒｅｗｒｉｔａｂｌｅ）等の光ディスクに対し、音楽データ等の記録を行う光ディスク記録装置が広く普及している。光ディスク記録装置は、光ディスクにレーザ光を照射し、データ長に対応したピットを形成させてデータ記録を行っている。
ところで、多くの光ディスクにデータ記録を行う場合、個々の光ディスクの記録内容が可視的に判別できれば便利である。そこで、データ記録をしなかったディスク領域（未記録領域）に、文字などの可視画像を形成することができる光ディスク記録装置が提供されつつある。この光ディスク記録装置は、未記録領域にレーザ光を照射し、照射部分を変色させることにより文字や数字等の可視画像を形成するというものである。
【０００３】
【発明が解決しようとする課題】
しかしながら、これまでの光ディスク記録装置では、すべてのデータ記録を行った後でないと、未記録領域が特定されないため、可視画像の形成ができなかった。このため、複数のデータを何回かに分けて追記録していくような場合（ＴＡＯ方式等）は、データ記録の途中で可視画像形成したい要請があるにも係らず、可視画像形成ができなかった。
【０００４】
本発明は、上記の事情を考慮してなされたものであり、データ記録の進行状況等に係らず、随時可視画像の形成をすることができる、光ディスク記録装置を提供することを目的とする。
【０００５】
【課題を解決するための手段】
上記課題を解決するため、本発明に係る光ディスク記録装置の構成は、螺旋状に案内溝が形成された記録層であって熱又は光により変色する性質を有する記録層を有する光ディスクに対して、レーザ光を照射する光ピックアップと、前記案内溝に沿って前記光ピックアップからレーザ光を照射させ、データ長を表すピットをディスク内周側から順に形成させることによりデータの記録をするデータ記録手段と、前記記録層に対して前記光ピックアップからレーザ光を照射させ、ディスク内周側から順に前記記録層を部分的に変色させることにより可視画像の形成をする可視画像形成手段と、新たな可視画像を形成するに先立ち、該可視画像の形成を終了する終点位置を求める位置検出手段を有し、前記可視画像形成手段は、前記位置検出手段が求めた終点位置よりも予め決められる所定距離だけディスク内周側の位置から、新たな可視画像の形成を開始することを特徴とする。
【０００６】
このような光ディスク記録装置の構成によれば、螺旋状に案内溝が形成された記録層であって熱又は光により変色する性質を有する記録層を有する光ディスクに対して、案内溝に沿って光ピックアップからレーザ光を照射させ、データ長を表すピットをディスク内周側から順に形成させることによりデータの記録をすることができる。また、前記記録層に対して前記光ピックアップからレーザ光を照射させ、ディスク内周側から順に前記記録層を部分的に変色させることにより可視画像の形成をすることができ、新たな可視画像を形成するに先立っては、該可視画像の形成を終了する終点位置を求めるとともに、この終点位置よりも予め決められる所定距離だけディスク内周側の位置から、新たな可視画像の形成を開始することができる。このように、ディスク内周側からデータ記録、ディスク外周側から可視画像の形成をすることができるので、たとえばデータ記録が完全に終了（クローズ処理）しておらず、データの未記録領域が確定しない段階であっても、可視画像の形成をすることができる。
【０００７】
ここで、前記位置検出手段について、既に可視画像が形成されている領域を検出するとともに、該領域の始点位置を新たに形成する可視画像の終点位置として求めるようにすれば、光ディスクに隙間なく可視画像形成をすることができる。既に可視画像が形成されている領域が検出できない場合、すなわち、まだ可視画像の形成が行われていないディスクに対して可視画像形成をする場合は、予め決められるディスク最外周位置を新たに形成する可視画像の終点位置として求めるようにすれば、光ディスクの最外周位置から隙間なく可視画像形成をすることができる。
【０００８】
また、前記可視画像形成手段は、新たに形成する可視画像のデータ量に応じた距離だけ前記終点位置よりもディスク内周側の位置から新たな可視画像の形成を開始することを特徴としてもよい。
このような構成にすれば、形成する可視画像のデータ量（大きさ）に応じて、ディスク外周側から隙間なく可視画像形成をすることができる。
【０００９】
上述した光ディスク記録装置の構成において、既に可視画像の形成がされた領域を検出する位置検出手段を有し、前記可視画像形成手段は、前記位置検出手段が検出した領域よりディスク内周側の領域に新たな可視画像の形成をすることを特徴としてもよい。
この構成によれば、既に可視画像の形成がされた領域を検出し、検出した領域よりもディスク内周側に可視画像形成をすることができるので、ディスク面（記録面）を隙間なく可視画像形成させることができる。
【００１０】
既に可視画像の形成がされた領域を検出する位置検出手段は、たとえば前記記録層のうち予め定められる特殊領域から前回の可視画像形成位置を示す情報を取得することにより、既に可視画像の形成がされた領域を検出することにより行うようにしてもよい。この場合における前記可視画像形成手段は、可視画像を形成する度に、当該可視画像の形成位置を示す情報を前記特殊領域に記録するようにするのが好ましい実施態様である。
あるいは、前記位置検出手段は、前記光ピックアップから前記案内溝に沿ってレーザ光を照射して得られる反射光信号のエンベロープ形状から、既に可視画像の形成がされた領域を検出するようにする手段であってもよい。
【００１１】
また、可視画像形成時においては、前記記録層の前記案内溝に沿って前記光ピックアップからレーザ光を照射させ、ディスク内周側から順に前記記録層を部分的に変色させることにより可視画像の形成をするようにしてもよい。
【００１２】
上述した光ディスク記録装置の構成は、さらに、前記光ディスクを回転駆動させる駆動手段と、前記光ディスクが１回転する毎に前記光ピックアップを前記光ディスクの外周方向に移動させるフィード手段とを有し、前記可視画像形成手段は、前記駆動手段により回転駆動した前記光ディスクの前記記録層に対しレーザ光を照射し、前記フィード手段を用いてディスク内周側から順に前記記録層を部分的に変色させて可視画像形成をすることを特徴とする構成としてもよい。
この構成によれば、可視画像形成時においては、前記記録層の前記案内溝に沿うことなく、前記光ピックアップからレーザ光を照射させ、ディスク内周側から順に前記記録層を部分的に変色させることにより可視画像の形成をすることができる。
【００１３】
本発明に係る光ディスク記録装置の別の構成は、螺旋状に案内溝が形成された記録層であって熱又は光により変色する性質を有する記録層を有する光ディスクに対して、レーザ光を照射する光ピックアップと、前記案内溝に沿って前記光ピックアップからレーザ光を照射させ、データ長を表すピットをディスク内周側から順に形成させることによりデータの記録をするデータ記録手段と、前記記録層に対して前記光ピックアップからレーザ光を照射させ、ディスク内周側から順に前記記録層を部分的に変色させることにより可視画像の形成をする可視画像形成手段であって、複数の可視画像を形成する時は、円盤形状である前記記録層を放射分割した領域の夫々に対し、可視画像の形成をする可視画像形成手段とを有することを特徴とする。
【００１４】
このような光ディスク記録装置の構成によれば、螺旋状に案内溝が形成された記録層であって熱又は光により変色する性質を有する記録層を有する光ディスクに対して、案内溝に沿って光ピックアップからレーザ光を照射させ、データ長を表すピットをディスク内周側から順に形成させることによりデータの記録をすることができる。また、記録層に対して光ピックアップからレーザ光を照射させ、ディスク内周側から順に記録層を部分的に変色させることにより可視画像の形成をすることができる。さらに、複数の可視画像を形成する時は、円盤形状である前記記録層を放射分割した領域の夫々に対し、可視画像の形成をすることができる。このため、ディスク内周側からデータ記録、ディスク外周側から可視画像の形成をすることができることには変わりなく、たとえばデータ記録が完全に終了（クローズ処理）しておらず、データの未記録領域が確定しない段階であっても、可視画像の形成をすることができる。
【００１５】
ここで、可視画像形成をする際には、前記記録層上の前記案内溝に沿って前記光ピックアップからレーザ光を照射させ、ディスク内周側から順に前記記録層を部分的に変色させることにより可視画像の形成をしてもよい。
あるいは、前記記録層上の前記案内溝とは関係なく可視画像形成をするようにしてもよい。この場合は、光ディスク記録装置の構成要素としては、さらに、前記光ディスクを回転駆動させる駆動手段と、前記光ピックアップを前記光ディスクの外周方向に順次移動させるフィード手段とを有し、前記可視画像形成手段は、前記駆動手段により回転駆動させた前記光ディスクの前記記録層に対して前記光ピックアップからレーザ光を照射させるとともに、前記フィード手段を用いて前記記録層におけるレーザ光照射位置をディスク内周側から順に外周に移動させることを特徴とするのが好ましい実施形態である。
【００１６】
【発明の実施の形態】
以下、図面を参照して本発明の実施形態について説明する。
Ａ：第１実施形態
本実施形態に係る光ディスク記録装置は、光ディスクに対し、音楽データ等の本来のデータ記録をする機能と、文字等の可視画像を形成する機能とを有している。
はじめに、本実施形態に係る光ディスク記録装置において、データ記録や可視画像形成を行う光ディスクの構成を説明し、次に、本実施形態に係る光ディスク記録装置の構成の説明をする。
【００１７】
（光ディスクの構成）
図１は、本実施形態に係る光ディスク記録装置がデータ記録や可視画像形成を行う光ディスク２００の側断面図である。本実施形態ではＣＤ−Ｒディスクを想定している。
図１に示すように、光ディスク２００は、保護層２０１と、記録層２０２と、反射層２０３と、保護層２０４とを有し、これらを積層した構造をとっている。なお、図１は光ディスク２００の構造を模式的に示しており、各層の寸法比等はこの図に示される通りではない。
【００１８】
これらの各層のうち、記録層２０２上には、螺旋状にグルーブ（案内溝）２０２ｇが形成されており、光ディスク２００に情報記録をする際には、このグルーブ２０２ｇに沿ってレーザ光が照射される（オン・グルーブ記録）。すなわち、光ディスク２００に情報記録をする際は、図２に模式的に示すように、グルーブ２０２ｇ上にレーザ光が集光制御されるとともに、グルーブ２０２ｇに沿ってレーザ光が照射される。そして、一定強度（熱量）のレーザ光が照射されると、グルーブ２０２ｇ上に、記録データ長に対応するピット２０２ｐが形成され、データ記録が行われる。図３は、グルーブ２０２ｇに沿ってレーザ光が照射された結果、ピット２０２ｐが形成された様子を模式的に表した図である。
なお、グルーブ２０２ｇには、ディスク上の位置を表す物理アドレス情報がＦＭ変調波に対応するウォブルとして予め記録されている。データ記録時には、このアドレス情報が読み出されるとともに、アドレス情報に基づいたデータ記録が行われる。
【００１９】
このようにして記録したデータの再生を行う場合も、図２に模式的に示すように、グルーブ２０２ｇ上にレーザビームが集光制御されるとともに、グルーブ２０２ｇに沿ってレーザ光が照射される。再生時には、記録時よりも弱い強度のレーザ光が照射される。そして、この際に光ディスク２００（反射層２０３）から反射される光（戻り光）の信号を復調処理することにより、記録したデータの再生が行われる。
【００２０】
また、記録層２０２（グルーブ２０２ｇ）は、一定強度（熱量）のレーザ光が照射されると変色する性質を有している。このため、光ディスク２００に可視画像の形成をする際にも、データ記録をする際と同様、グルーブ２０２ｇに沿ってレーザ光が照射される。そして、一定強度（熱量）のレーザ光が照射されると、グルーブ２０２ｇにおける照射部分が変色し、これにより可視画像の形成が行われる。
【００２１】
図４（ａ）〜（ｃ）は、光ディスク２００（記録層２０２）に可視画像が形成された具体例を示したものである。このうち図４（ａ）は、光ディスク２００の全体図であり、同図に示すように、光ディスク２００上の領域４１にアルファベット文字「Ａ」を可視画像として形成した例を示している。
図４（ｂ）は、領域４１を拡大表示した図である。そして、図４（ｃ）は、図４（ｂ）に示す領域４２をさらに拡大した図である。図４（ｃ）は、データ記録（図３）との対比を明確化するために、上下反転させた図にしている。このようにグルーブ２０２ｇの一部を変色するようにして、全体として可視画像「Ａ」が形成されている。
【００２２】
このように、データ記録時（図３）も可視画像形成時（図４（ｃ））も、グルーブ２０２ｇに沿ってレーザ光が照射され、ピット形成あるいは部分的な変色が行われる。ここで、データ記録時はμｍオーダーの大きさのピット２０２ｐが形成されるようにレーザ光が照射されるのに対し、可視画像形成時にはｍｍオーダー（可視判別可能レベル）の大きさの領域が変色されるようにレーザ光が照射される点が異なっている。
なお、ピット２０２ｐが形成された部分も熱により変色していることが想定されるが、上述したように個々のピット２０２ｐは可視的に判別することができない大きさであるため、ピット２０２ｐが変色することにより、形成した可視画像が認識できなくなるといった問題は生じない。
【００２３】
以上、光ディスク２００の構成説明をしたが、このように、光ディスク２００の構成は、記録層２０２が変色する性質を有している以外は、従来のＣＤ−Ｒディスク等と同じである。
【００２４】
（光ディスク記録装置の構成）
図５は、本発明の一実施形態に係る光ディスク記録装置１００の主要部分の構成ブロック図である。
図５に示すように、光ディスク記録装置１００は、光ピックアップ１０、スピンドルモータ１１、ＲＦアンプ１２、サーボ回路１３、アドレス検出回路１４、デコーダ１５、制御部１６、エンコーダ１７、ストラテジ回路１８、レーザドライバ１９、レーザパワー制御回路２０、データ変換部２７、フレームメモリ２８、バッファメモリ２９を備えている。
【００２５】
スピンドルモータ１１は、光ディスク（本実施形態ではＣＤ−Ｒディスクを想定）２００を回転駆動するためのモータである。
光ピックアップ１０は、レーザダイオード、レンズやミラー等の光学系、および戻り光の受光素子を一体として有するユニットである。
光ディスク２００に対してデータの記録を行う場合、あるいは光ディスク２００に記録されたデータの再生を行う場合、光ピックアップ１０は、レーザ光を光ディスク２００に対して照射し、光ディスク２００からの戻り光を受光する。光ピックアップ１０は、受光信号であるＥＦＭ（Ｅｉｇｈｔ　ｔｏ　Ｆｏｕｒｔｅｅｎ　Ｍｏｄｕｌａｔｉｏｎ）変調されたＲＦ信号をＲＦアンプ１２に出力する。
また、光ピックアップ１０は、モニタダイオードを有し、光ディスク２００の戻り光によってモニタダイオードに電流が流れると、この電流量に対応する信号をレーザパワー制御回路２０に供給する。
【００２６】
ＲＦアンプ１２は、データ記録時あるいは可視画像の形成時において、光ディスク２００から反射される光のレベルを表す信号をサーボ回路１３、アドレス検出回路１４などに出力する。また、記録データの再生をする際は、光ピックアップ１０から供給されるＥＦＭ変調されたＲＦ信号を増幅し、増幅後のＲＦ信号をサーボ回路１３、デコーダ１５などに出力する。
【００２７】
デコーダ１５は、記録データの再生時において、ＲＦアンプ１２から供給されるＥＦＭ変調されたＲＦ信号をＥＦＭ復調し、再生データを生成する。
アドレス検出回路１４は、データ記録時あるいは可視画像の形成時、ＲＦアンプ１２から供給される信号からウォブル信号成分を抽出し、ウォブル信号成分に含まれるアドレス情報（ディスクの位置情報）を復号し、制御部１６に出力する。
サーボ回路１３は、スピンドルモータ１１の回転制御、光ピックアップ１０におけるフォーカス制御、トラッキング制御等を行う。サーボ回路１３は、制御部１６から供給される制御信号に基づき、スピンドルモータ１１等を駆動するための信号を供給する。
【００２８】
レーザパワー制御回路２０は、光ピックアップ１０のレーザダイオードから照射されるレーザパワーを制御するための回路である。レーザパワー制御回路２０は、光ピックアップ１０のモニタダイオードから供給される電流値と、制御部１６から供給される最適なレーザパワーの目標値を示す情報とに基づき、データ記録や可視画像形成を行うための最適なレーザパワーのレーザ光が光ピックアップ１０から照射されるようにレーザドライバ１９を制御する。
【００２９】
バッファメモリ２９は、データ記録時にホストコンピュータ１１０から供給される情報、すなわち、光ディスク２００に記録すべきデータ（記録データ）をＦＩＦＯ（先入れ先出し）形式にて記憶する。エンコーダ１７は、バッファメモリ２９から読み出された記録データをＥＦＭ変調し、ストラテジ回路１８に出力する。ストラテジ回路１８は、エンコーダ１７から供給されたＥＦＭ信号に時間軸補正処理等を行い、レーザドライバ１９に出力する。レーザドライバ１９は、ストラテジ回路１８から供給される記録データに応じて変調された信号と、レーザパワー制御回路２０の制御に基づいて、光ピックアップ１０のレーザダイオードを駆動する。
【００３０】
フレームメモリ２８は、可視画像形成時において、ホストコンピュータ１１０から供給される情報、すなわち、光ディスク２００上に形成すべき可視画像に係るデータ（画像データ）を蓄積する。
この画像データは、円盤状の光ディスク２００（記録層２０２）に形成すべきドットの濃度を規定する階調データの集合である。ここで本実施形態においては、記録層２０２上に形成されるグルーブ２０２ｇの形状（螺旋状）に基づき、グルーブ２０２ｇとディスク中心からの放射線との各交点により規定される座標系を用いている。より具体的には、図６に示すように、ディスク内周のグルーブ２０２ｇの開始地点を基準点（１行１列）とし、基準点からディスク外周に向かって順番に１行、２行、３行、……、と規定する。一方、基準点（１行１列）から、他の放射線に対応付けて、時計回り順番に１列、２列、３列、……、と規定する。
このような座標系を採用するため、フレームメモリ２８には、図７に示されるように、行と列に対応付けされた階調データが記憶される。本実施形態に係る階調データは３ビットで表すため、１ドットあたり８（２の３乗）階調の画像を形成する。
なお、グルーブ２０２ｇには物理アドレス情報が記録（ウォーブル変調記録）されているから、このアドレス情報と対応付けた階調データを用意するようにしてもよい。
【００３１】
フレームメモリ２８に蓄積された画像データは、順次１ドットごと制御部１６により読み出され、データ変換部２７に供給される。
データ変換部２７は、フレームメモリ２８から供給された階調データに時間軸補正処理等を行い、レーザドライバ１９に出力する。レーザドライバ１９は、データ変換部２７から供給される信号と、レーザパワー制御回路２０の制御に基づいて、光ピックアップ１０のレーザダイオードを駆動する。
【００３２】
制御部１６は、ＣＰＵ（Ｃｅｎｔｒａｌ　Ｐｒｏｃｅｓｓｉｎｇ　Ｕｎｉｔ）３１と、ＲＯＭ（Ｒｅａｄ　Ｏｎｌｙ　Ｍｅｍｏｒｙ）やＲＡＭ（Ｒａｎｄｏｍ　Ａｃｃｅｓｓ　Ｍｅｍｏｒｙ）から構成されるメモリ３０を有している。制御部１６は、メモリ３０に予め格納される所定の制御プログラムに従い、光ディスク記録装置１００の各部を制御し、データ記録を行うためのフォーカスサーボ機構の制御、トラッキングサーボ機構の制御、記録パワー値の制御、スピンドルモータ１１の駆動制御等を行う。
以上が光ディスク記録装置１００の構成説明である。
【００３３】
（データ記録方式について）
次に、光ディスク記録装置１００の具体的な動作説明を行う。
はじめに、本実施形態に係る光ディスク記録装置１００が採用するデータ記録の方式を説明をする。本実施形態においては、トラックアットワンス方式（ＴＡＯ方式）を採用することを想定している。ＴＡＯ方式は、データの追記録（書き継ぎ）を可能とするために広く用いられる記録方式である。
【００３４】
ＴＡＯ方式によれば、図８に模式的に示すように、光ディスク２００に対するデータ記録を複数回行い（追記録）、その後、リードイン情報、リードアウト情報が記録される。リードイン情報はデータ領域の開始位置を示す情報、リードアウト情報はデータ領域の終了を示す情報である。ここで、リードイン情報やリードアウト情報を記録する処理はクローズ処理と呼ばれ、クローズ処理が行われた光ディスクに対してはデータ追記は禁止される。
【００３５】
クローズ処理を行わない場合は、データ記録の終了位置を示すアドレス情報が、ディスクのプログラムメモリ領域（ＰＭＡ：Ｐｒｏｇｒａｍ　Ｍｅｍｏｒｙ　Ａｒｅａ）に記録される。ＰＭＡ領域とは、ディスク規格（オレンジブック）により予め定められる領域をいい、ディスクの内周側に位置する。
そして、次にデータを記録（追記録）する場合は、ＰＭＡ領域に記録されたアドレスが指定する位置に後続するようにして行われる。このようにして、ＴＡＯ方式では、ディスク上に隙間なくデータを記録することを実現している。
以上が本実施形態において用いる記録方式（ＴＡＯ方式）の概要である。
【００３６】
（データ記録をする際の動作）
次に、光ディスク記録装置１００を用い、光ディスク２００に対するデータ記録時、可視画像形成時における具体的な動作の内容を説明する。はじめに、データ記録時の動作について説明する。
図９は、データ記録を行う際の制御部１６の制御内容を示すフローチャートである。以下、このフローチャートを用いて説明する。
ユーザにより、光ディスク記録装置１００に光ディスク２００がセットされ、データ記録開始が指示されると、制御部１６は、装置各部を制御し、光ディスク２００にデータ記録を行う。データ記録時の動作内容は、従来の装置と同様である。以下にその動作内容を説明する。
【００３７】
制御部１６は、光ディスク記録装置１００の各部を制御し、セットされた光ディスク２００のリードイン領域を再生し、記録信号が得られない場合、ＰＭＡ領域を再生する（ステップＳａ１０）。そして、ＰＭＡ領域に前回の記録データの終了位置を表すアドレス情報が記録されているか否かを判別する（ステップＳａ１１）。
判別結果が肯定的である場合、すなわち、ＰＭＡ領域から前回の記録データの終了位置を表すアドレス情報を取得できた場合（ステップＳａ１１：ＹＥＳ）、制御部１６は、当該アドレス情報が表すディスク位置に、レーザ光が照射されるよう光ピックアップ１０の位置制御をする（ステップＳａ１２）。そして、データ記録を開始する（ステップＳａ１４）。
一方、判別結果が否定的である場合、すなわち、ＰＭＡ領域から前回の記録データの終了位置を表すアドレス情報を取得できなかった場合（ステップＳａ１１：ＮＯ）、制御部１６は、光ディスク２００にはまだデータ記録が行われていない旨を判断する。そして制御部１６は、初期位置（記録領域の先頭位置）にレーザ光が照射されるように光ピックアップ１０の位置を制御し（ステップＳａ１３）、データ記録を開始する（ステップＳａ１４）。
【００３８】
データ記録を開始した後は、レーザの照射位置（記録位置）を表すアドレス情報が、アドレス検出回路１４から制御部１６に順次出力される。制御部１６は、取得したアドレス情報に基づき、バッファメモリ２９に格納される記録データを読み出すとともに、装置各部を制御して、データ記録をしていく。
その後、制御部１６は、データ記録を終了すると（ステップＳａ１５）、装置各部を制御し、データ記録終了位置を示すアドレス情報をＰＭＡ領域に記録する（ステップＳａ１６）。
このように、制御部１６は、１回のデータ記録を行うごとに、データ記録終了位置を示す情報をＰＭＡ領域に随時記録する。そして、制御部１６は、データの追記録をする場合は、このＰＭＡ領域に記録されるアドレス情報が示すディスク位置に後続するようにして、データ記録を行うので、ディスク上隙間なくデータ記録をすることができる。
【００３９】
次に、制御部１６は、データ記録を完全に終了ための処理（クローズ処理）がユーザ指示によりされているか否かの判断を行う（ステップＳａ１７）。
判別結果が肯定的である場合（ステップＳａ１７：ＹＥＳ）、制御部１６は、装置各部を制御してリードアウト情報の記録をする（ステップＳａ１８）。リードアウト情報は、記録データの終了を表す情報である（上掲図８参照）。リードアウト情報を記録した後は、当該ディスクに対する追記録は一切禁止されることになる。
判別結果が否定的である場合（ステップＳａ１７：ＮＯ）、制御部１６は、リードアウト情報を記録しないで処理を終了する。
以上がデータ記録を行う際の制御部１６の制御内容である。
【００４０】
（可視画像の形成をする際の動作）
次に、可視画像の形成をする際の動作内容を説明する。
データ記録をするときは、光ディスク２００の内周側から外周側に向けて行ったが、可視画像形成は、光ディスク２００の外周側から内周側に向けて行う点が特徴的である。
より具体的に説明すると、図１０に模式的に示すように、ディスクの外周から内周に向けて、可視画像１、可視画像２、可視画像３の順で可視画像形成が行われる。また、個々の可視画像（可視画像１、可視画像２等）を形成するにあたっては、ディスク内周から外周に向けて行われる（図１０に示す矢印の向き）。
【００４１】
可視画像形成をする際に、ディスク外周から内周に向かう順（可視画像１、可視画像２、可視画像３の順）で形成するようにした理由は、データ記録をする方向とは逆方向にすることにより、データ記録の進行状況に係らず、可視画像形成をすることができるようにするためである。すなわち、データ記録のクローズ処理がされておらず、ディスク未記録領域が特定されない段階であっても、少なくとも外周領域であれば可視画像を形成しても問題がないことを考慮し、ディスク外周側から可視画像形成をするようにしたものである。
また、個々の可視画像（可視画像１、可視画像２等）についてはディスク内周から外周に向かって形成するようにした理由は以下の通りである。すなわち、仮にディスク外周から内周に向けて可視画像形成を行おうとすれば、グルーブ２０２ｇに沿ってレーザ光照射をするためには、光ディスク２００の回転制御をデータ記録時とは逆に行う必要があり、特別の制御回路が必要になる。また、グルーブ２０２ｇに記録されたアドレス情報（位置情報）を検出することができなくなる不具合が生じる。このため、個々の可視画像形成は、データ記録時と同様にディスク内周から外周に向けて行うようにし、既存の制御回路をそのまま利用するようにし、可視画像形成時もアドレス情報の検出ができるようにしたのが理由である。
【００４２】
次に、より詳細な動作の内容を説明する。
図１１は、可視画像形成を行う際の制御部１６の制御内容を示すフローチャートである。ユーザにより、光ディスク記録装置１００に光ディスク２００がセットされ、可視画像の形成指示がされると、制御部１６は、装置各部を制御し、以下のようにして光ディスク２００上に可視画像の形成を行っていく。
以下の説明においては、データ記録時の動作内容と区別するために、ある１つの可視画像を形成する場合において、可視画像を形成する開始位置を「スタート位置」、終了位置を「エンド位置」というように記述する。
【００４３】
制御部１６は、光ディスク記録装置１００の各部を制御し、セットされた光ディスク２００において予め定められる特殊領域を再生する（ステップＳａ２０）。そして、特殊領域に前回形成した可視画像のスタート位置を表すアドレス情報が記録されているか否かを判別する（ステップＳａ２１）。ここで特殊領域とは、光ディスク２００において予め定められる領域をいい、本実施形態においては、光ディスク２００の最外周領域（例えばトラック所定本数分の領域）が、特殊領域に当てられている。特殊領域は、データ記録におけるＰＭＡ領域に対応するものであり、ディスク上に可視画像を隙間なく形成するにあたって必要なアドレス情報が記録されている。
【００４４】
判別結果が肯定的である場合、すなわち、特殊領域から前回形成した可視画像のスタート位置を表すアドレス情報を取得できた場合（ステップＳａ２１：ＹＥＳ）、制御部１６は、当該アドレス情報から今回の可視画像を形成するスタート位置を求める。そして、求めた位置に、レーザ光が照射されるよう光ピックアップ１０の位置制御を行い（ステップＳａ２３）、実際に可視画像を形成していく（ステップＳａ２４）。
【００４５】
制御部１６によって求められる、今回の可視画像の形成スタート位置についての詳細を説明する。
上述したように（図１０）、本実施形態においては、複数の可視画像を形成する場合、ディスク外周側から順に可視画像形成がされる。すなわち、前回形成した可視画像のスタート位置が、今回形成する可視画像のエンド位置になるようにして、ディスク上隙間なく可視画像の形成がされる。図１０に示す例では、可視画像１のスタート位置と可視画像２のエンド位置とが同じ（隣接）であり、可視画像２のスタート位置と可視画像３のエンド位置が同じ（隣接）している場合を示している。
このような隙間のない可視画像形成を実現するために、光ディスク２００の特殊領域には、前回形成した可視画像のスタート位置を示すアドレス情報が格納されるようになっている。制御部１６は、特殊領域を再生して得られるアドレス情報から、今回の可視画像を形成スタート位置を求めるが、スタート位置は以下のようにして求める。
【００４６】
本実施形態では、一回の可視画像形成につき使用するディスク幅（ディスク半径方向の幅）Ｗは、予め決められる一定値（たとえば５ｍｍ）であることを想定する（図１０参照）。このため、制御部１６は、特殊領域から取得したアドレス情報が示す前回の可視画像の形成スタート位置から、ディスク内周側に幅Ｗ分だけ移動した位置を、今回形成する可視画像のスタート位置として求めるのである。なお、形成する可視画像の内容（データ量）に応じ、幅Ｗの値は可変としてもよい。
制御部１６は、このようにして求めたスタート位置にレーザ光が照射されるように光ピックアップ１０の位置を制御し（ステップＳａ２３）、可視画像形成を開始する（ステップＳａ２５）。
【００４７】
次にＰＭＡ領域を再生しても前回の記録データの終了位置を表すアドレス情報が取得できなかった場合（ステップＳａ２１：ＮＯ）の制御部１６の制御内容を説明する。この場合、制御部１６は、光ディスク２００はまだ可視画像形成が行われていないディスクと判断し、予め決められるスタート位置にレーザ光が照射されるように光ピックアップ１０の位置を制御する（ステップＳａ２４）。そして可視画像形成を開始する（ステップＳａ２５）。
ここで、予め決められるスタート位置とは、可視画像形成可能なディスク最外周位置（グルーブ２０２ｇが形成される最外周位置）から幅Ｗ分だけディスク内周側に移動した位置をいう。このスタート位置に係る位置情報は制御部１６のメモリに格納されている。
【００４８】
可視画像形成を開始すると、データ記録時と同様、レーザ照射位置（画像形成位置）を表すアドレス情報が、アドレス検出回路１４から制御部１６に順次出力される。制御部１６は、取得したアドレス情報に基づいたタイミングで、フレームメモリ２８に蓄積される階調データを順次読み出し、装置各部を制御して、可視画像の形成を行っていく。
その後、制御部１６は、可視画像の形成を終了すると（ステップＳａ２６）、可視画像の形成を開始したスタート位置を示すアドレス情報を特殊領域に記録する（ステップＳａ２７）。
【００４９】
このようにして、制御部１６は可視画像形成を行うたびに、特殊領域に、可視画像の形成スタート位置を示すアドレス情報を記録する。そして、この特殊領域に記録されたアドレス情報が表す位置から、幅Ｗ分だけディスク内周側に移動した位置から新たな可視画像の形成を行うことにより、光ディスク２００上に隙間なく可視画像の形成をしているのである。
【００５０】
これまでの説明は、便宜上、データ記録時、可視画像形成時とそれぞれ分けて動作内容を説明したが、これらの動作は連続して行うようにすることもできる。例えば、ユーザが記録データと可視画像を指定して動作開始を指示した場合に、制御部１６は、データ記録に係る制御（図９に示すフロー）を行い、さらに、可視画像形成に係る制御（図１１に示すフロー）を続けて行うようにしてもよい。すなわち、上述した、データ記録時、可視画像形成時の各動作はそれぞれ独立した内容であるため、別々に行ってもよいし、連続して行うようにしてもよい。
さらに、可視画像形成をした後、データ記録を行うというように、任意の順番で、データ記録、可視画像形成をすることも可能である。いずれにしても、本実施形態に係る光ディスク２００によれば、データ記録、可視画像形成を任意の順番で実行することができるといえる。
【００５１】
たとえば図１２は、光ディスク記録装置１００を用いて、光ディスク２００に対して、３曲分の楽曲データ（楽曲データ１、楽曲データ２、楽曲データ３）のデータ記録、および、個々の楽曲のタイトル（タイトル１、タイトル２、タイトル３）についての可視画像形成を行った場合を例示する図である。
本発明に係る光ディスク記録装置１００を用いれば、これらのデータ記録と可視画像形成は任意の順番で行うことができるため、たとえば、楽曲データ１を記録した後、楽曲データ１のタイトル１を可視画像として形成することが可能である。この点、従来装置において、楽曲データ１〜３をすべて記録してデータ記録をクローズ処理した後でないと可視画像を形成することができなかった点と大きく異なっている。
その後、楽曲データ１の後に、楽曲データ２を追記録するとともに楽曲データ２のタイトル２を可視画像として形成する、といった処理も可能である。
【００５２】
また、処理の順番は任意であるので、楽曲データ１〜３をすべて記録した後、タイトル１〜３を示す可視画像をまとめて形成することも可能である。逆に、タイトル１〜３を示す可視画像をまとめて形成した後に、楽曲データ１〜３の記録をすることも可能である。
【００５３】
以上説明したように、本実施形態に係る光ディスク記録装置１００によれば、光ディスク２００に、本来のデータ記録とともに可視画像の形成を行うことができる。そして、データ記録はディスク内周側から、可視画像の形成はディスク外周側から、それぞれディスク上隙間なく行われる。このため、限られたディスク記録領域（記録層２０２上のグルーブ２０２ｇ）を最大限活用して、データ記録および可視画像形成をすることができる。
ここで可視画像の形成はディスク外周側から行われるから、データ記録のクローズ処理がされていない段階、すなわち未記録領域が確定しない段階であっても、可視画像の形成をすることができる。
光ディスク記録装置１００を用いれば、データ記録、可視画像の形成を任意の順番で効率よく行うことができ、個々のユーザの使い勝手に応じた利便性を図ることができるのである。
【００５４】
（第１実施形態の変形例）
以上説明した実施形態は、本発明の適用一例に過ぎず、任意に変形を加えることができる。以下にそのいくつかを示す。
【００５５】
（１）上述実施形態では、可視画像形成するディスク半径方向幅Ｗは一定値としていたが、この幅Ｗは任意にユーザが設定できるようにしてもよい。この場合も、制御部１６は上述実施形態と同様の制御を行えばよい。すなわち、制御部１６は、前回形成した可視画像のスタート位置から、指定された幅だけディスク内周側に移動した位置にレーザ光照射が行われるよう、光ピックアップ１０の位置制御を行う。そして、装置各部を制御することにより、可視画像の形成を開始することにより、上述した実施形態と同様の効果を奏することができる。
【００５６】
（２）上述実施形態では、光ディスク２００上に特殊領域を設け、前回形成した可視画像のスタート地点を示すアドレス情報を随時記録するようにしていた。このように特殊領域を別途設けるのではなく、形成した可視画像のスタート位置あるいはエンド位置にアドレス情報を記録するようにしてもよい。
すなわち、アドレス情報を記録するために必要とするディスク領域は、せいぜいトラック１周分程度であり可視的に判別することはできない。このため、別途特殊領域を設けることなく、形成した可視画像に隣接してアドレス情報を記録するようにしても、可視的な問題は生じない。
【００５７】
（３）上述実施形態では、グルーブ２０２ｇに沿ってレーザ光を照射し、グルーブ２０２ｇの一部を変色させることにより可視画像形成をしていた。このような制御によれば、グルーブ２０２ｇが形成される間隔（トラック幅）の分解能で、可視画像形成をすることができる。
しかし、トラック幅（μｍオーダー）までの高分解能を必要としない場合は、グルーブ２０２ｇに沿うことなく、レーザ光照射をして、画像形成をするようにしてもよい。たとえば、光ディスク２００（記録層２０２）に照射するレーザ光の照射スポット径が大きくなるようにフォーカス制御をし、隣り合って形成される複数本のグルーブ２０２ｇを一気に変色させて可視画像形成を行うようにしてもよい。また、隣り合って形成されている複数本のグルーブ２０２ｇに渡る範囲でレーザ光をウォブリングさせて可視画像形成をするようにしてもよい。
【００５８】
本変形例においても、可視画像を形成するスタート位置を見つけるまでの制御内容は、上述実施形態と同様である。すなわち制御部１６は、光ディスク２００の特殊領域を再生して、前回の可視画像の形成スタート位置を示すアドレス情報を取得する。そして、かかるアドレス情報から、今回の可視画像の形成スタート位置を見つける。
ここで、特殊領域を再生するときは、（特殊領域の）グルーブ２０２ｇ上にレーザ光を集光させる必要があるため、制御部１６は装置各部を制御し、グルーブ２０２ｇに沿ってレーザ光照射が行われるようにする。そして、実際に可視画像を形成する時には、グルーブ２０２ｇ上に沿ってレーザ光照射をする必要がなくなるため、制御部１６は、装置各部を制御し、光ディスク２００上のレーザ光照射スポット径が大きくなるように、またはレーザ光照射スポットがウォブリングするようにする。そして、複数トラック分のグルーブ２０２ｇごとに変色させて可視画像形成をしていく。
本変形例においても、上述実施形態と同様、可視画像の形成はディスクの外周側から順番にディスク上隙間なく行われることには変わりがない。このため、限られたディスク記録領域（記録層２０２上のグルーブ２０２ｇ）を最大限活用して、データ記録および可視画像形成をすることができる。また、データ記録の進行状況に係らず（クローズ処理されていない段階等であっても）、可視画像の形成をすることができる点においても同様である。
【００５９】
Ｂ：第２実施形態
上述実施形態では、光ディスク２００上に隙間なく可視画像形成をするために、光ディスク２００の所定領域（特殊領域）に、前回形成した可視画像のスタート位置を表すアドレス情報を記録するようにしていた。
ただし、可視的な側面から考れば、アドレス管理を行いμオーダーで隙間なく画像形成するまでの必要性はないという見方もできる。本実施形態に係る光ディスク記録装置１０１は、かかる観点に基づき、可視画像形成時においてはアドレス管理を行わない点に特徴を有している。
【００６０】
図１３は、本実施形態に係る光ディスク記録装置１０１の構成ブロック図である。図１３に示すように、光ディスク記録装置１０１は、上述実施形態に係る光ディスク記録装置１００の構成に比較して、エンベロープ検出回路２２が加わった点のみが異なっている。このため、以下は、異なる部分についての説明を行い、上述実施形態と同一の構成要素については同じ符号を付した説明をする。
【００６１】
エンベロープ検出回路２２は、可視画像形成時において、前回形成した可視画像のスタート位置を検出（サーチ）するための回路である。
図１４は、グルーブ２０２ｇに沿ってレーザ光（再生用の低レベルレーザ光）を照射した際に、ＲＦアンプ１２からエンベロープ検出回路２２に供給される信号の内容を模式的に示す図である。図１４に示すように、ＲＦアンプ１２から供給される信号は、高レベルかつレベル振幅値（ＰＰ値：ｐｅａｋ　ｔｏ　ｐｅａｋ値）が小さい信号Ｓ１と、低レベルかつＰＰ幅が大きい信号Ｓ２とに大別される。
このうち、信号Ｓ１は可視画像を形成していない領域に対応する。すなわち、可視画像を形成していない領域は、グルーブ２０２ｇが未記録の状態（初期状態）のまま保たれているため、反射される信号のレベルは高く、また信号のＰＰ値は小さいものになる。一方、信号Ｓ２は可視画像を形成した領域に対応する。可視画像を形成した領域は、レーザ光照射によりグルーブ２０２ｇの状態が変化（変色）しており、反射率が低下する。このため、当該領域に照射したレーザ光の反射光の信号レベルは低いものとなる。この反射光には多種の信号成分が含まれるから、信号のＰＰ値は大きいものになる。
【００６２】
エンベロープ検出回路２２は、このようにＲＦアンプ１２から供給される信号の状態（レベル、ＰＰ値）を検出し、可視画像を形成した領域と形成しない領域との境界位置の情報を制御部１６に供給する。
【００６３】
次に、本実施形態に係る光ディスク記録装置１０１の動作の内容を説明する。データ記録時の動作は、上述実施形態に係る光ディスク記録装置１００と同様であるため、可視画像形成時の動作内容を説明する。図１５は、この際の制御部１６の制御内容を示すフローである。
制御部１６は、可視画像の形成が指示されると、装置各部を制御して、前回形成した可視画像のスタート位置を検出する（ステップＳａ３１）。より具体的には、光ディスク２００（記録層２０２）上のグルーブ２０２ｇに沿ってレーザ光を照射させる。そして、上述したエンベロープ検出回路２２から供給される信号のエンベロープの状態から、可視画像の形成を行った領域と、行っていない領域との境界位置を求める。
このようにして求められる境界位置は、その位置精度を考慮しなければ、上述実施形態において、特殊領域から取得されるアドレス情報が示す位置と同じである。
【００６４】
この後の制御部１６の制御内容は、上述実施形態と同様である。すなわち、制御部１６は、検出した境界位置から幅Ｗ分だけディスク内周方向に移動した位置にレーザ光の照射が行われるよう、装置各部を制御する（ステップＳａ３５）。そして、実際に可視画像形成を行っていく（ステップＳａ３６）。
本実施形態では、可視画像を形成する際のアドレス管理を行わないため、特殊領域にアドレス情報を記録する制御は不要である。
【００６５】
以上説明したように、本実施形態に係る光ディスク記録装置１０１においても、上述実施形態と同様、光ディスク２００に、本来のデータ記録とともに可視画像の形成を行うことができる。そして、データ記録はディスク内周側から、可視画像の形成はディスク外周側から、それぞれディスク上隙間なく行われる点も同様である。このため、限られたディスク記録領域を最大限活用したデータ記録、可視画像形成をすることができる。また、可視画像の形成はディスク外周側から行われるため、データ記録処理がクローズされない段階（未記録領域が確定されていない段階）であっても、可視画像の形成をすることができる。すなわち、光ディスク記録装置１０１を用いれば、データ記録、可視画像の形成を任意の順番で効率よく行うことができ、個々のユーザの使い勝手を図ることができる。
【００６６】
Ｃ：第３実施形態
上述した各実施形態においては、光ディスク２００の外周側から内周側に向けて、可視画像の形成を順番に行うようにしていた。一方、本実施形態に係る光ディスク記録装置においては、円盤形状の光ディスク２００について、中心からの放射線により複数に領域を分け、個々の領域に対して順番に可視画像の形成を行う点を特徴とする。
【００６７】
より具体的に説明すると、図１６に示すように、光ディスク２００の中心からの放射線により、光ディスク２００（記録層２０２）の面を複数に分割するよう規定する。図１６では、領域５１、領域５２、……、領域５８の８つの領域（以下、分割領域という）に等分割した場合を例示している。
本実施形態に係る光ディスク記録装置は、このようにして規定される分割領域に対し、順番に可視画像形成を行っていく。図１６においては、領域５１に可視画像１を形成し、領域５２に可視画像２を形成した例を示している。この後も、領域５３、領域５４、……、と順番に可視画像形成が行われていく。
【００６８】
本実施形態に係る光ディスク記録装置においても、具体的な制御内容は上述した各実施形態の装置と同じである。図１７は、分割領域の１つ（領域５１）を例示した図であるが、このように、上述した実施形態と同様、各分割領域においても、行と列によって定められる座標系を規定しておけば、上述した実施形態と同様の制御を行うことにより、データ記録の進行状況によらず、可視画像を形成することができる。
【００６９】
（第３実施形態の変形例）
形成する可視画像の分解能がそれほど要求されない場合は、グルーブ２０２ｇに沿うことなくレーザ光の照射を行い、可視画像形成をしてもよい。
ただし、グルーブ２０２ｇに沿うことなく可視画像形成を行った場合は、可視画像形成中にレーザ照射位置を示すアドレス情報を取得できない。このため、現在のレーザ光照射位置が分割領域のいずれに対応しているのかを判別するための手段を別途設ける必要がある。
【００７０】
図１８は、本変形例に係る光ディスク記録装置１０３の構成ブロック図である。図１８に示すように、光ディスク記録装置１０３の構成は、ＦＧ回路２１を設けた点以外は上述した各実施形態と同内容である。このため、同一の構成要素については同一の符号を付した説明を行う。
【００７１】
ＦＧ回路２１は、スピンドルモータ１１の回転周波数を表す信号（ＦＧパルス信号）２１Ｓを出力する。より具体的には、スピンドルモータ１１のモータドライバから得られる逆起電流を利用し、スピンドルの回転周波数を表すパルス信号２１Ｓを出力する。本実施形態におけるＦＧ回路２１は、スピンドルモータ１１が１回転する間に１６個のパルス信号２１Ｓを出力する。
図１９は、ＦＧパルス信号２１Ｓの内容を例示したものである。図１９は、横軸が時間軸であり、１６個のパルス信号分の時間でスピンドルモータ１１が１回転、すなわち光ディスク２００が１回転することを示している。
【００７２】
可視画像形成時、制御部１６は、このようなＦＧパルス信号２１Ｓから、現在のレーザ光照射位置がいずれの分割領域（分割領域５１〜５８）に存在しているかを検出する。この際の制御部１６の検出手段について、具体的に、図１９を参照しながら説明する。
図１９に示すように、ＦＧ回路２１は、スピンドルモータ１１が１回転する間、つまり光ディスク２００が１回転する間に１６個のＦＧパルスを出力する。制御部１６は、ＦＧ回路２１から供給されるＦＧパルスを１つずつカウントすることにより、レーザ光照射位置がいずれの分割領域（分割領域５１〜５８）に存在するかを検出する。
【００７３】
図１９には、ＦＧ回路２１から制御部１６に供給されるＦＧパルス信号２１Ｓと併せて、アドレス検出回路１４からアドレス情報が供給されるタイミングも模式的に示している。このように、制御部１６は、アドレス検出回路１４からアドレス情報「０」が供給されたタイミングで、ＦＧ回路２１から供給されるパルスを基準パルスとしてとり扱う。アドレス情報「０」は、あくまで一例だが、分割領域５１の開始位置を表すアドレス情報として予め設定されている値である。
制御部１６は、この基準パルスを基準として、レーザ光照射位置の検出を行う。具体的には基準パルスを含めて２個のパルスが供給される間は、分割領域５１にレーザ照射がされている旨を検出する。そして、次の２個のパルスが供給される間は、分割領域５２にレーザ照射がされている旨を検出する。このようにして、２個ずつのパルスが供給されるごとに、レーザが照射される分割領域が変化する旨を検出していくのである。
そして、基準パルスから１６個目のパルスが供給されると、制御部１６は、再度領域５１にレーザ照射されている旨を検出する。以下この繰り返しにより、制御部１６は、ＦＧ回路２１から供給されるパルスの検出（カウント）をし、レーザ光照射位置がいずれの分割領域（分割領域５１〜５８）に存在するかを検出することができるのである。
なお、実際の動作においては、アドレス検出回路１４におけるデコード処理時間を考慮した上で、基準パルスを決定するのが好ましい。
また、光ディスク記録装置１０３を用いて可視画像形成を行った光ディスク２００を装置１０３から取り出し、再びセットして可視画像形成を行うような場合、分割領域５１〜５８に対応させた位置合わせを高精度で行うのが好ましい。このような場合、制御部１６は、ＦＧ回路２１から供給されるパルス信号に基づき、光ディスク２００が１回転する間のパルス数を増加させるように制御すればよい。たとえば、光ディスク２００が１回転する間に３２個のパルスが得られるようにすれば、より高精度な位置制御をすることができる。パルス数を増加させる手段としては、たとえば図示しないＰＬＬ（Ｐｈａｓｅ　Ｌｏｃｋｅｄ　Ｌｏｏｐ）回路にＦＧ回路２１の出力信号を供給する方法を用いることができる。
【００７４】
このように、あるアドレス情報（たとえばアドレス「０」）に対応付けて基準パルスを決定する方法を用いれば、光ディスク記録装置１０３に光ディスク２００を再セットしたような場合であっても、制御部１６は、常にレーザ光照射位置がどの分割領域にあるかを検出することができる。このため、形成すべきでない分割領域に可視画像を誤形成してしまうような問題は生じない。
可視画像を形成する際、制御部１６は、ＦＧ回路２１から供給されるＦＧパルス信号２１Ｓを検出し、可視画像を形成すべきタイミングになると、装置各部を制御して、光ディスク２００にレーザ光が照射されるようにして可視画像を形成していく。この際、制御部１６は、光ディスク２００が１回転するごと（ＦＧパルスが１６個検出されるごと）に、レーザ光照射位置を外周側に移動するように制御することにより、上述した実施形態と同様、ディスク上隙間なく可視画像の形成をすることができる。
また基準パルスの決定方法は、デコードアドレスを用いる方法に限らず、光ディスク２００上の特定位置にマーキングを設ける方法を採ってもよい。具体的には、ディスク内周の特定位置（たとえばＰＭＡ領域とリードイン領域の間）にマーキングを施しておく。そして、当該特定位置（特定の半径位置）を再生したときに得られるエンベロープ検出回路２２の出力信号を用いて、基準パルスを決定するようにしてもよい。
【００７５】
なお、光ディスク２００を角速度一定（ＣＡＶ：Ｃｏｎｓｔａｎｔ　Ａｎｇｕｌａｒ　Ｖｅｌｏｃｉｔｙ）で回転駆動して、データ記録する光ディスク記録装置においては、上述したＦＧ回路２１を具備しているのが一般的であり、ＦＧ回路２１から出力されるパルス信号２１Ｓからディスクの回転速度を検出している。このような光ディスク記録装置を用いれば、既存の回路をそのまま利用して本変形例を適用することが可能である。
【００７６】
Ｄ：変形例
以上述べた各実施形態は、あくまで本発明の内容を説明するための例示に過ぎず、本発明の内容を逸脱しない範囲において、任意に変形を加えることができる。以下に、変形例のいくつかを示す。
【００７７】
（変形例１）
上述した各実施形態においては、光ディスク２００に可視画像を形成する際、外部装置（ホストＰＣ１１０）から可視画像に係るデータ（画像データ）が供給されることを想定している。しかし、この画像データを、上記各実施形態にかかる光ディスク記録装置に予め格納しておくようにしてもよい。
たとえば、数字やアルファベットというように可視画像として形成する文字が限られている場合は、当該文字に係る画像データを予め光ディスク記録装置に格納しておくようにしてもよい。そして、ユーザが装置操作部（図示せず）を操作することにより、画像として形成する文字を選択できるようにしてもよい。
【００７８】
（変形例２）
データ記録をするたびに、ユーザの指示によることなく、記録時の日時や時刻に関わるタイムスタンプ情報を可視画像として自動的に形成するようにしてもよい。タイムスタンプ情報は、外部装置（ホストＰＣ１１０）から光ディスク記録装置１００に随時供給すればよい。
あるいは、ユーザ名を予め登録しておき、かかるユーザ名を示す可視画像として自動形成するようにしてもよい。ユーザ名の登録は、ユーザがホストＰＣ１１０を操作することによって行う。そして、データ記録をするたびに自動形成、あるいは、データ記録をクローズ処理した最終時に自動形成するようにしてもよい。
【００７９】
（変形例３）
光ディスク２００は各メーカにより提供されており、メーカごとに記録層２０２（グループ２０２ｇ）の特性は異なっているのも現状である。たとえば、記録層２０２の熱吸収率が異なる場合は、ピット２０２ｐを形成するために照射すべきレーザ光のレベルや変色させるために照射すべきレーザ光のレベルが異なることも想定される。
このため、予め多数のメーカの光ディスク２００に対するデータ記録、可視画像形成を実際に行い、どの程度のレーザ光を照射するのが適しているのかを求めておき、かかる値を制御部１６内のメモリに格納しておくようにしてもよい。この場合、光ディスク２００の種類を示す識別情報（ディスクＩＤ情報）と対応付けて格納しておけば、セットされた光ディスク２００のディスクＩＤ情報を読み取った上で、ディスク種類に沿ったレーザ光照射をすることができる。
【００８０】
【発明の効果】
以上説明したように、本発明によれば、データ記録の状況にかかわらず、可視画像の形成をすることができる光ディスク記録装置を提供することができる。たとえば、今後データ追記録の予定がある光ディスクに対しても、可視画像の形成をすることが可能である。
【図面の簡単な説明】
【図１】本発明の第１実施形態に係る光ディスク記録装置１００が記録対象とする光ディスク２００の側断面図である。
【図２】光ディスク２００の構成を説明するための図である。
【図３】光ディスク２００の構成を説明するための図である。
【図４】光ディスク２００の構成を説明するための図である。
【図５】光ディスク記録装置１００の構成を示すブロック図である。
【図６】可視画像を形成する際の基本原理を説明するための図である。
【図７】可視画像を形成するための画像データの内容を説明するための図である。
【図８】記録方式の１つであるＴＡＯ方式を説明するための図である。
【図９】データ記録時における制御部１６の動作内容を示すフローチャートである。
【図１０】可視画像形成時の基本動作を説明するための図である。
【図１１】可視画像形成時における制御部１６の動作内容を示すフローチャートである。
【図１２】光ディスク記録装置１００の動作効果を説明するための図である。
【図１３】本発明の第２実施形態に係る光ディスク記録装置１０１の構成ブロック図である。
【図１４】エンベロープ検出回路２２の動作を説明するための図である。
【図１５】光ディスク記録装置１０１の基本動作を説明するための図である。
【図１６】本発明の第３実施形態に係る光ディスク記録装置の基本動作を説明するための図である。
【図１７】光ディスク記録装置の基本動作を説明するための図である。
【図１８】第３実施形態の変形例に係る光ディスク記録装置１０３のブロック構成図である。
【図１９】光ディスク記録装置１０３の基本動作を説明するための図である。
【符号の説明】
１０……光ピックアップ、１１……スピンドルモータ、
１２……ＲＦアンプ、１３……サーボ回路、
１４……アドレス検出回路、
１６……制御部、
１７……エンコーダ、１８……ストラテジ回路、
１９……レーザドライバ（ドライバ）、
２０……レーザパワー制御回路（ＬＰＣ）、
２２……エンベロープ検出回路、
２７……データ変換部、
２８……フレームメモリ、
２９……バッファメモリ、
１００……光ディスク記録装置、
２００……光ディスク、２０１……保護層、
２０２……記録層、２０２ｇ……グルーブ、２０２ｐ……ピット、
２０３……反射層、２０４……保護層。
【図１】
2004039019.tif 000003
【図２】
2004039019.tif 000004
【図３】
2004039019.tif 000005
【図４】
2004039019.tif 000006
【図５】
2004039019.tif 000007
【図６】
2004039019.tif 000008
【図７】
2004039019.tif 000009
【図８】
2004039019.tif 000010
【図９】
2004039019.tif 000011
【図１０】
2004039019.tif 000012
【図１１】
2004039019.tif 000013
【図１２】
2004039019.tif 000014
【図１３】
2004039019.tif 000015
【図１４】
2004039019.tif 000016
【図１５】
2004039019.tif 000017
【図１６】
2004039019.tif 000018
【図１７】
2004039019.tif 000019
【図１８】
2004039019.tif 000020
【図１９】
2004039019.tif 000021